(57)【要約】【課題】電線に過度な応力をかけることなく、使用者が所望する方向にセンサの検知範囲を変更することができる照明制御用のセンサユニット、光源ユニットおよび照明器具を提供する。【解決手段】センサユニット３０は、正面側に設定された検知範囲内に生じる変化に応じた検出信号を裏面側へ出力するセンサ３１と、センサ３１の裏面側にセンサ３１と間隔を空けて設けられ、電線３３を介してセンサ３１に電力を供給し、センサ３１の検出信号を受けるセンサ駆動基板３４と、センサ３１の裏面側に延伸するように設けられ、センサ３１と電気的に接続された電線３３と、センサ３１を収納する第１のケース４１と、電線３３の延伸方向を軸とする回転方向とは異なる２軸方向に第１のケースを回転可能に支持する支持部４２−１と４２と４６−１と４６と、を備える。【選択図】          図５
2019012633.tif 000002
【特許請求の範囲】
【請求項１】
正面側に設定された検出範囲内に生じる変化に応じた検出信号を裏面側へ出力するセンサと、
前記センサの裏面側に前記センサと間隔を空けて設けられ、前記センサに電力を供給し、前記センサの検出信号を受けるセンサ駆動基板と、
前記センサの裏面側から前記センサ駆動基板に延伸するように設けられ、前記センサと前記センサ駆動基板とを電気的に接続する電線と、
前記センサを収納する第１のケースと、
前記電線の延伸方向を軸とする回転方向とは異なる２軸方向に前記第１のケースを回転可能に支持する支持部と、
を備えた照明制御用のセンサユニット。
【請求項２】
前記第１のケースは、
前記２軸方向のうちの１つの軸方向に沿って設けられたケース軸を有し、
前記支持部は、
前記ケース軸を中心に回転可能に前記第１のケースを支持する軸受と、前記２軸方向のうちの他の軸方向に沿って設けられたケース軸と、を有する第２のケースと、
前記第２のケースのケース軸を中心に回転可能に前記第２のケースを支持する軸受を有し、前記センサ駆動基板を収納する駆動基板ケースと、
を備えたことを特徴とする請求項１に記載の照明制御用のセンサユニット。
【請求項３】
前記第１のケースは、球形状に形成され、前記第１のケースの外面上に複数形成された突起部と前記電線を通す開口部とを有し、
前記支持部は、
前記電線を通す開口部と、前記第１のケースの外面の内、前記突起部以外の箇所を支持するとともに前記突起部と当接することにより前記電線の延伸方向を軸とする前記第１のケースの回転を規制する球受部と、を有する
ことを特徴とする請求項１に記載の照明制御用のセンサユニット。
【請求項４】
前記第１のケースは、球形状に形成され、前記第１のケースの外面上に複数形成された凹部と前記電線を通す開口部とを有し、
前記支持部は、
前記電線を通す開口部と、前記凹部を支持するとともに前記第１のケースの前記凹部の周縁部と当接することにより前記第１のケースの前記電線の延伸方向を軸とする回転を規制する球受部と、を有する
ことを特徴とする請求項１に記載の照明制御用のセンサユニット。
【請求項５】
発光素子が配置された発光モジュールと、
前記発光モジュールが取り付けられたフレームと、
前記発光素子を覆うように前記フレームに取り付けられたカバーと、
請求項１から４のいずれか１項に記載の照明制御用のセンサユニットと、
を備え、
前記センサユニットは、前記フレームに取り付け可能に形成された取付部と、前記センサユニットのセンサを前記カバーに隣接して配置するように設けられた延伸部とを備えた光源ユニット。
【請求項６】
請求項５に記載の光源ユニットと、
一端が前記センサ駆動基板と電気的に接続され、前記センサの検出信号に基づく点灯信号を出力する点灯信号電線と、
前記点灯信号電線の他端と電気的に接続され、前記点灯信号に基づき前記光源ユニットに電力を供給する点灯ユニットと、
を備えた照明器具。
【発明の詳細な説明】
【技術分野】
【０００１】
この発明は、照明制御用のセンサユニット、光源ユニット及び照明器具に関するものである。
【背景技術】
【０００２】
従来、人の接近を検出する人感センサなどのセンサを用いて点灯制御する照明器具が知られている。特許文献１には、装置本体の長手方向に突出し回転可能なアームを備え、このアームの先端にセンサが取り付けられた照明器具が記載されている。
【先行技術文献】
【特許文献】
【０００３】
【特許文献１】特開２００９−２５９７５９号公報
【発明の概要】
【発明が解決しようとする課題】
【０００４】
特許文献１に記載された照明器具では、アームを回転させることにより、センサの検出範囲を調整することが可能である。しかし、この回転に伴って、アーム内に収容されたセンサ配線（電線）がその延伸方向を軸とする回転方向にねじれ、断線のおそれが生じるという問題があった。
【０００５】
ところで、センサの検出範囲を調整する場合、センサ配線には曲げとねじれが発生する可能性がある。これらの内、曲げは、センサ配線に遊びを持たせることである程度は吸収可能である。しかし、ねじれは、センサ配線に遊びを持たせても解消できず、過度なねじれにより断線するという問題があった。
【０００６】
本発明は、電線が過度にねじれることによる断線を抑制し、使用者が所望する方向にセンサの検出範囲を調整することができる照明制御用のセンサユニット、光源ユニット及び照明器具を提供することを目的とする。
【課題を解決するための手段】
【０００７】
この発明に係る照明制御用のセンサユニットは、正面側に設定された検出範囲内に生じる変化に応じた検出信号を裏面側へ出力するセンサと、センサの裏面側にセンサと間隔を空けて設けられ、センサに電力を供給し、センサの検出信号を受けるセンサ駆動基板と、センサの裏面側からセンサ駆動基板に延伸するように設けられ、センサとセンサ駆動基板とを電気的に接続する電線と、センサを収納する第１のケースと、電線の延伸方向を軸とする回転方向とは異なる２軸方向に第１のケースを回転可能に支持する支持部と、を備えたものである。
【０００８】
この発明に係る光源ユニットは、発光素子が配置された発光モジュールと、発光モジュールが取り付けられたフレームと、発光素子を覆うようにフレームに取り付けられたカバーと、照明制御用のセンサユニットと、を備え、センサユニットは、フレームに取り付け可能に形成された取付部と、センサユニットのセンサをカバーに隣接して配置するように設けられた延伸部とを備えたものである。
【０００９】
この発明に係る照明器具は、光源ユニットと、一端がセンサ駆動基板と電気的に接続され、センサの検出信号に基づく点灯信号を出力する点灯信号電線と、点灯信号電線の他端と電気的に接続され、点灯信号に基づき光源ユニットに電力を供給する点灯ユニットと、を備えたものである。
【発明の効果】
【００１０】
本発明では、センサから延伸する電線を軸とする回転方向とは異なる２軸方向にセンサが回転することにより、電線が過度にねじれることによる断線を抑制することができる。
【図面の簡単な説明】
【００１１】
【図１】実施の形態１における照明器具を示す斜視図である。
【図２】実施の形態１における照明器具を示す分解斜視図である。
【図３】実施の形態１における照明器具を示すＡ−Ａ’断面図である。
【図４】実施の形態１における光源ユニットを天井面側から見た斜視図である。
【図５】実施の形態１におけるセンサユニットを示す分解斜視図である。
【図６】実施の形態１におけるセンサユニットを示す斜視図である。
【図７】実施の形態１における電線の曲げを示す模式図である。
【図８】実施の形態２におけるセンサユニットを示す分解斜視図である。
【図９】実施の形態２におけるセンサケースの突起部を示す分解斜視図である。
【図１０】実施の形態２におけるセンサユニットを検出窓側から見た部分拡大図である。
【図１１】実施の形態２におけるセンサユニットを示す斜視図である。
【図１２】実施の形態２における別の構成のセンサケースの凹部を示す分解斜視図である。
【図１３】実施の形態２における別の構成のセンサユニットを検出窓側から見た部分拡大図である。
【発明を実施するための形態】
【００１２】
実施の形態１．
本実施の形態では、本発明に係る照明器具の一例として、天井などの被取付面に取り付けられる逆富士形の照明器具について説明する。以下の説明において、便宜上、天井面側（被取付面側）を上面側とし、床面側（被取付面と反対側）を下面側として説明を行う。
【００１３】
・照明器具
まず、図１、２を用いて、本実施の形態の照明器具１００の全体構成を説明する。図１に示すように、照明器具１００は、長尺に形成された光源ユニット１０と、光源ユニット１０が装着されるとともに天井に固定された器具本体２０と、光源ユニット１０に隣接して配置されるように光源ユニット１０に取り付けられたセンサユニット３０と、から構成される。
なお、本実施の形態において、「隣接」とは隣り合っていることを意味し、接触している場合と互いに接触せず離れている場合とを含む。
図２に示すように、器具本体２０には取付ばね２３が設けられており、光源ユニット１０と器具本体２０が一体となるように構成されている。センサユニット３０は、後で詳細に説明するように、その向きを変えることができ、センサ３１の検出範囲を可変に調整することができるように構成されている。
この照明器具１００において、センサユニット３０は、器具本体２０にではなく光源ユニット１０に取り付けられているため、まずセンサユニット３０を光源ユニット１０に取り付け、センサ３１の角度を調整した後に、光源ユニット１０とともに、器具本体２０に装着することができる。そのため、光源ユニット１０のカバー１４の高さ等、光源ユニット１０とセンサユニット３０の相対的な位置関係を確認しながら、手元でセンサ３１の角度調整を行うことができ、取り付け作業がしやすいという特徴がある。
【００１４】
・器具本体
次に、図２〜４を用いて器具本体２０の構成について説明する。器具本体２０は金属製であり、Ｕの字断面に折り曲げられた中心部を含む複数の折り曲げ断面を有するケース２１と、このケース２１の長手方向の両端を塞ぐケース端板２２と、長手方向の端部付近に２箇所設置された取付ばね２３と、外部から引き込まれる電源ケーブルが接続される端子台２４と、一端が端子台２４に接続され他端が点灯装置１５の電源線１６と電気的に接続可能な接続電線２５と、センサユニット３０を収納するセンサ収納部２６と、を備える。
【００１５】
・光源ユニット
続いて、図３、４を用いて光源ユニット１０の構成について説明する。図３は、図１のＡ−Ａ’で示される切断面を照明器具１００の長手方向から見た断面図である。光源ユニット１０は、Ｕの字断面に成形された金属製のフレーム１１と、このフレーム１１の下面側に固定された発光素子であるＬＥＤ（Ｌｉｇｈｔ  Ｅｍｉｔｔｉｎｇ  Ｄｉｏｄｅ）１２を実装した発光モジュールであるＬＥＤモジュール１３と、カバー１４とを有する。ＬＥＤモジュール１３を覆うカバー１４は、ＬＥＤモジュール１３が発する光を拡散する樹脂材料で形成されている。カバー１４は、フレーム接続部１４−１を有し、このフレーム接続部１４−１でフレーム１１の側壁１１−１を挟み込むことにより、フレーム１１に固定される。
【００１６】
図４に示すように光源ユニット１０を上面側（天井面側）から見ると、光源ユニット１０には、フレーム１１のＵの字断面の開口側に電源線１６に接続されＬＥＤモジュール１３に電力を供給する点灯装置１５が取り付けられている。点灯装置１５は、ＬＥＤモジュール１３と電気的に接続されている。また、フレーム１１のＵの字断面開口側の長手方向の端部２箇所に、取付ばね２３を引っ掛けるばね受け金具１７が取り付けられている。
【００１７】
・センサユニット
図５、６を用いてセンサユニット３０の構成について説明する。図５において、センサユニット３０は、正面側に設定された検出範囲内に生じる変化に応じた検出信号を裏面側へ出力するセンサ３１と、センサ３１が正面側に実装され、その反対側である裏面側にセンサ３１の出力端子を有するセンサ基板３２と、センサ３１の裏面側であるセンサ基板３２の裏面側からセンサ駆動基板３４に延伸するように設けられ、センサ３１とセンサ駆動基板３４とを電気的に接続する電線３３と、センサ３１の裏面側にセンサ３１と間隔を空けて設けられ、電線３３を介してセンサ３１に電力を供給し、センサ３１の検出信号を受けるセンサ駆動基板３４と、を備えている。センサ駆動基板３４は、センサ基板３２の裏面と対向し、且つ、センサ基板３２との対向面がセンサ基板３２の裏面と平行になるように設けられている。更にセンサユニット３０は、センサ３１を収納する第１のケースである内ケース４１と、電線３３の延伸方向を軸とする回転方向とは異なる２軸方向に内ケース４１を回転可能に支持する支持部である軸受４２−１と外ケース４２と軸受４６−１と駆動基板ケース４６と、を備える。
【００１８】
センサ駆動基板３４は、電線３３と接続する電線コネクタ３４−１と点灯信号の設定を変更する設定スイッチ３４−２とを備えている。また、このセンサ駆動基板３４には点灯装置１５と電気的に接続する点灯信号電線３５が接続されている。センサ駆動基板３４は、センサ３１の検出信号に基づく点灯信号を点灯信号電線３５を介して点灯装置１５に出力する。点灯装置１５は、点灯信号に応じて光源ユニット１０の点灯、消灯、調光を制御する。
センサ駆動基板３４は、駆動基板ケース４６とケース蓋４７から構成される駆動基板ケース体４５に収納される。
【００１９】
本実施の形態において、電線３３の延伸方向とは、センサ３１の裏面側からセンサ駆動基板３４に延伸する方向である。言い換えると、センサ基板３２の裏面と垂直な方向であり、センサ基板３２ともセンサ駆動基板３４とも垂直な線に平行となる方向である。
【００２０】
センサ基板３２を収納する第１のケースである内ケース４１は、内ケース軸４１−１とセンサ検出窓４１−２を有する。内ケース軸４１−１は、電線３３の延伸方向と直交し且つ電線３３の延伸方向と異なる方向に平行に設けられる。
内ケース４１は、第２のケースである外ケース４２に収納される。外ケース４２には、内ケース軸４１−１を回転可能に支持する軸受４２−１と、外ケース軸４２−２と、電線３３を通す第１の開口部４２−３とが形成されている。外ケース軸４２−２は、電線３３と直交し且つ延伸方向とも内ケース軸４１−１とも異なる方向に平行に設けられる。
図５では、内ケース軸４１−１と外ケース軸４２−２はそれぞれ、内ケース４１と外ケース４２それぞれの側面の中央に設けられているが、内ケース軸４１−１と外ケース軸４２−２とが側面の中央にある必要はない。内ケース軸４１−１は、電線３３の延伸方向と直交する軸方向且つ外ケース軸４２−２の軸方向と直交する方向に設けられている。
【００２１】
外ケース４２は、駆動基板ケース４６に収納される。駆動基板ケース４６には、外ケース軸４２−２を回転可能に支持する軸受４６−１と、電線３３を通す第２の開口部４６−２と、が形成されている。
第１のケースである内ケース４１を支持する支持部は、内ケース軸４１−１を中心に回転可能に内ケース４１を支持する軸受４２−１と外ケース軸４２−２とを有する第２のケースである外ケース４２と、外ケース軸４２−２を中心に回転可能に外ケース４２を支持する軸受４６−１と、駆動基板ケース４６から構成される。
【００２２】
図５を用いて、センサ３１の検出範囲を所望の方向に調整する方法について説明する。センサ３１を収納する第１のケースである内ケース４１は、電線３３の延伸方向を中心とした方向とは異なる２軸方向である、内ケース軸４１−１を中心とした方向と、外ケース軸４２−２の軸を中心とした方向に回転させることができる。
【００２３】
内ケース４１と外ケース４２の回転は、センサ３１の検出範囲を使用者が所望する方向に調整できるだけ回転範囲があればよい。したがって、内ケース４１と外ケース４２の「回転」は、３６０°以上回る必要はない。
【００２４】
内ケース軸４１−１を中心とする内ケース４１の回転は、外ケース４２に当接することにより規制される。外ケース軸４２−２を中心とする外ケース４２の回転は、駆動基板ケース４６に当接することにより規制される。よって、内ケース４１の当接箇所と外ケース４２の当接箇所をどこに設けるかにより、内ケース４１と外ケース４２それぞれの回転角度の範囲が決まる。
本実施の形態では、内ケース４１と外ケース４２を近づけて配置することにより、内ケース４１と外ケース４２との回転による当接する角度が、外ケース４２と駆動基板ケース４６との回転により当接する角度よりも小さくなるように構成されている。その結果、内ケース４１の回転範囲よりも外ケース４２の回転範囲が大きくなる。
【００２５】
図６に示すように、駆動基板ケース４６には、溝部４５−１と取付爪４５−２が形成されている。図３に示すように、溝部４５−１がカバー１４のフレーム接続部１４−１と嵌合し、取付爪４５−２をフレーム１１の側壁１１−１に係止させることにより、センサユニット３０は光源ユニット１０に着脱可能に支持される。図３、６に示すように、センサユニット３０は、フレーム１１に取り付け可能に形成された取付部４５−３と、センサ３１をカバー１４に隣接して配置するように設けられた延伸部４５−４とを備える。
センサユニット３０の延伸部４５−４は、器具本体２０に設けられたセンサ収納部２６に収納される。
【００２６】
図３、４、６を用いてセンサユニット３０の光源ユニット１０への取り付け方法を説明する。図６のセンサユニット３０を上下逆向きにして、取付部４５−３に設けられた取付爪４５−２を図４の向きに置かれた光源ユニット１０のフレーム１１の内側に差し込み、取付部４５−３に設けられた溝部４５−１をカバー１４のフレーム接続部１４−１にはめ込む。次にセンサユニット３０を光源ユニット１０の長手方向にスライドさせることにより、センサユニット３０の取付位置を調整する。最後にセンサユニット３０から延伸する点灯信号電線３５を点灯装置１５と接続することにより、取り付けが完了する。光源ユニット１０に取り付けられたセンサユニット３０の延伸部４５−４に設けられたセンサ３１は、カバー１４に隣接して配置される。
【００２７】
・照明器具の動作
次に、センサ３１が人の動きを検出する焦電型赤外線センサである場合を例として、照明器具１００の動作を説明する。センサ３１は、人の動きを検出するとセンサ駆動基板３４に検出信号を出力する。センサ駆動基板３４は、センサ３１の検出信号に基づき、人の有無を判断し点灯信号を出力する。
より詳細に説明すると、センサ３１は、人の動きに応じた電圧変化を検出信号として出力する。センサ駆動基板３４は、センサ３１の検出信号が予め設定したしきい値電圧を超えた場合、人が存在していると判断しＬＥＤモジュール１３を調光率１００％で点灯させる点灯信号を出力する。点灯信号には、ＬＥＤモジュール１３の調光率に応じた電圧値が割り当てられる。例えば、調光率１００％の場合、５［Ｖ］であり、調光率０％の場合、点灯信号は０［Ｖ］である。点灯装置１５は、点灯信号の電圧値をＡｎａｌｏｇ／Ｄｉｇｉｔａｌ変換し、駆動基板が指示する調光率を読み取り、指示された調光率を目標値としてＬＥＤモジュール１３に出力する電流値を制御する。その結果、照明器具１００は点灯する。
一定時間（例えば３分間）人の動きがなかった場合、センサ駆動基板３４は、徐々に消灯させる点灯信号を出力する。例えば、１秒間で調光率１００％から０％に徐々に変化するよう、点灯信号の出力電圧を５［Ｖ］から０［Ｖ］に降下させる。点灯装置１５は、点灯信号の電圧値を目標値として、ＬＥＤモジュール１３に出力する電流値を制御する。その結果、照明器具１００は徐々に消灯する。
【００２８】
センサ３１の検出範囲は、センサ３１が下方（照射面）を向いている場合、図３に示すような点線で囲まれた円錐形状の範囲となる。したがって、例えば照明器具１００の設置場所が出入り口から少し離れている場合など、照明器具１００の使用目的によっては照明器具１００の真下以外の場所にいる人を検出した結果に基づき、点灯する必要が生じる。
本実施の形態のセンサユニット３０は、使用者が内ケース４１または外ケース４２を動かすことにより、センサ３１の検出範囲を調整することができる。
【００２９】
内ケース軸４１−１と外ケース軸４２−２は、互いに異なる２軸方向に回転可能に軸受４２−１、４６−１に支持される。このような構成により、センサユニット３０を取り付けた照明器具１００において、内ケース４１に収納されたセンサ３１の検出範囲を照明器具１００の長手方向にも短手方向にも自在に調整させることができる。
したがって、照明器具１００の設置方向または照明器具１００が複数台設置されている場合の照明器具間の取付ピッチ（間隔）に制約されることなく、センサ３１の検出範囲を可動させることができる。その結果、照明器具１００とは別置きのセンサを設置することなく、使用者が設定した検出範囲のセンサ３１の検出信号に基づき、照明器具１００を点灯、消灯及び調光させることができる。
【００３０】
上述したとおり、本実施の形態では、内ケース４１の回転範囲よりも外ケース４２の回転範囲が大きくなるように構成されている。このような構成とすることにより、センサユニット３０を取り付けた光源ユニット１０において、光源ユニット１０の短手方向にセンサ３１の検出範囲を調整できる角度よりも長手方向にセンサ３１の検出範囲を調整できる角度が大きくなる。
センサ３１は、カバー１４に隣接して配置されるため、センサ３１の検出範囲は光源ユニット１０から照射される光の照射範囲と近接する。そのため、センサ３１の検出範囲を光源ユニット１０の短手方向に調整する場合は、カバー１４から発せられる光にセンサ３１の検出信号が影響されるおそれがある。よって、光源ユニット１０の短手方向に調整できる角度は小さくてよい。一方、センサ３１の検出範囲を光源ユニット１０の長手方向に調整できる角度は、大きい方が望ましい。
したがって、本実施の形態のように内ケース４１、外ケース４２及び駆動基板ケース４６を構成することにより、光源ユニット１０の短手方向にセンサ３１の検出範囲を調整できる角度よりも長手方向にセンサ３１の検出範囲を調整できる角度が大きくすることができる。
【００３１】
図７は、センサ３１の検出範囲を調整したときの、電線３３を示す模式図である。センサ３１の検出範囲を調整する際に、電線３３には、曲げとねじれの応力が発生する可能性がある。これらの内、曲げ応力は、センサ３１の裏面側にセンサ３１と間隔を空けてセンサ駆動基板３４が設けられ、且つ電線３３に遊びを持たせる構成により、電線３３が均一に曲げられ、曲げ応力を吸収可能である。
仮に、センサ３１と間隔を空け且つセンサ３１の裏面側から延伸する方向と例えば９０°の角度をつけてセンサ駆動基板３４を配置した場合、電線３３には常に曲げ応力が発生することになる。したがって、センサ３１とセンサ駆動基板３４が対向するように、即ちセンサ３１の裏面から延伸する方向と、センサ駆動基板３４に垂直な方向とが、互いに平行となるように配置すると、電線３３の曲がりが小さくなる。
また、センサ駆動基板３４の電線コネクタ３４−１の直上にセンサ３１が配置されるように構成すると、電線３３の曲がりが、より小さくなるため、更によい構成となる。
【００３２】
一方、ねじれ応力は、電線３３のねじれやすい箇所（例えば電線コネクタ３４−１付近など）に集中するため、電気的な接触不良や断線につながりやすい。
本実施の形態では、内ケース４１と外ケース４２は、電線３３の延伸方向を軸とする回転方向とは異なる２軸方向にそれぞれ回転する。そのため、図７に示すように内ケース４１または外ケース４２は、電線３３がねじれる方向に回転することがない。したがって、照明器具１００は、電線３３が過度にねじれることなく、センサ３１の検出範囲を調整することができる。
【００３３】
また、本実施の形態のセンサユニット３０は、光源ユニット１０に取り付けられた後、光源ユニット１０と一体となって、器具本体２０に取り付けられる。このような構成により、天井などの被取付面に取り付けられた器具本体２０に取り付ける前に、光源ユニット１０と一体となった状態でセンサユニット３０のセンサ３１の検出範囲を調整することができる。器具本体２０は、高所に取り付けられることが多いため、器具本体２０に取り付けることなく作業し易い場所でセンサ３１の検出範囲の調整を行うことができる。
更に、センサユニット３０のセンサ３１は、カバー１４に隣接して配置される。このような構成により、カバー１４の位置とセンサユニット３０のセンサ３１の正面側の向きを手元で同時に確認しながら、センサ３１の検出範囲を調整することができる。
特に、本実施の形態のようにセンサユニット３０を光源ユニット１０の短手方向に取り付けた場合、上述したようにセンサ３１の検出範囲が光源ユニット１０から照射される光の照射範囲と近接する。このため、センサ３１の検出範囲を動かし方によっては、光源ユニット１０から照射される光にセンサ３１の検出信号が影響されるおそれが生じる。
本実施の形態では、このような場合でも、センサ３１の検出範囲を隣接した光源ユニット１０のカバー１４を確認しつつ調整することができるため、光源ユニット１０の照射範囲がセンサ３１の検出範囲に影響しないようにセンサ３１の検出範囲を調整することが容易となる。
【００３４】
更に、センサユニット３０の検出範囲を調整する際、可動する部品は内ケース４１と外ケース４２に限られる。このため、センサ３１の向きの調整前と調整後で照明器具１００の外観は大きく変化しない。これにより、照明器具１００の外観を大きく変化させることなく、センサ３１の検出範囲を調整することができる。
【００３５】
なお、本実施の形態では内ケース４１、外ケース４２の外側に内ケース軸４１−１、外ケース軸４２−２を設ける構成としたが、内ケース４１または外ケース４２の内側に軸を設ける構成であってもよい。また、軸と軸受を逆にしてそれぞれのケースに設ける構成としてもよい。このような構成とすることにより、例えば、内ケース４１から内ケース軸４１−１が突出しないようにすることにより、内ケース４１を更に小さくすることができるなど、センサケース４０の要求仕様に合わせケース可動機構を柔軟に構成することができる。
【００３６】
センサ３１は、周囲の明暗を検出する照度センサなど、他のセンサであってもよい。センサ３１を明るさに応じた電流を出力する照度センサとした場合、センサ駆動基板３４は、暗くなり検出信号であるセンサ出力電流が予め設定した電流しきい値より小さくなる条件でＬＥＤモジュール１３を点灯させるような点灯信号を出力する。点灯を開始するタイミングは、点灯信号の設定を変更する設定スイッチ３４−２を動かし電流しきい値を変更することにより、調整可能である。
【００３７】
なお、本実施の形態では、照明器具１００にセンサユニット３０を１個用いる構成を説明したが、センサユニット３０を複数個用いる構成としてもよい。
例えば、器具本体２０の長手方向の両端に取り付ける場合、センサユニット３０を光源ユニット１０の長手方向の同じ側にも逆側にも取り付けることができる。長手方向の逆側に取り付けた場合、センサ３１が長手方向で互いに逆側となるため、同じ側に取り付けるよりも検出範囲を広くすることができる。
また、本実施の形態では、天井直付け型の照明器具である照明器具１００にセンサユニット３０を取り付ける構成を示したが、照明器具１００は、高天井照明器具や階段灯照明器具など、上述で説明した以外の照明器具であってもよい。このような構成とすることにより、設置場所の要求に合わせた照明器具を選択しセンサユニット３０を取り付け、センサ３１の検出結果に応じ、照明器具１００の点灯を制御することができる。
【００３８】
実施の形態２．
実施の形態１のセンサユニット３０に代えて、球形状の第１のケースであるセンサケース４０ｂを備えるセンサユニット３０ｂを用いてもよい。本実施の形態では、第１のケースであるセンサケース４０ｂが支持部である球受部４６−４に回転可能に支持される構成を図８〜１３を用いて説明する。図８〜１３において、実施の形態１と同一または相当の構成については同一の符号を付す。
【００３９】
・センサユニット
図８において、センサ３１が実装されたセンサ基板３２ｂは、円形状である。センサ基板３２ｂを収納する第１のケースであるセンサケース４０ｂは、センサ３１の正面側を覆うとともにセンサ３１の検出窓４８−１を有する半球形状の正面側ケース４８ｂと、センサ３１の裏面側を覆うとともに電線３３を通す第１の開口部４９−１を底部に有する半球形状の裏面側ケース４９ｂとから構成される。正面側ケース４８ｂと裏面側ケース４９ｂは嵌合し、球形状のセンサケース４０ｂを形成する。
【００４０】
センサケース４０ｂは、電線３３を通す第２の開口部４６−２ｂと、センサケース４０ｂを回転自在に支持する支持部である球受部４６−４とが形成された駆動基板ケース４６ｂに収納される。図１０に示すように、センサケース４０ｂと当接する球受部４６−４の当接面は、センサケース４０ｂを支持するために、センサケース４０ｂの球面の半径ｒ１よりクリアランス分だけ大きい半径ｒ２の球面状に形成され、センサケース４０ｂを挟持することによりセンサケース４０ｂを支持する。当接面は、センサケース４０ｂの球面に沿う形状になっており、図１０の奥行き方向および手前方向にもセンサケース４０ｂが抜けにくい構造になっている。
第２の開口部４６−２ｂは円形である。センサケース４０ｂを収納するため、第２の開口部４６−２ｂの半径は、センサケース４０ｂの半径よりも大きく形成されている。球受部４６−４は、第２の開口部４６−２ｂを囲むように複数本形成されている。センサケース４０ｂを複数本の球受部４６−４で安定して挟持するためには、球受部４６−４を３箇所以上、好適には図８のように４箇所設けることが望ましい。
【００４１】
本実施の形態では、センサケース４０ｂを支持部である球受部４６−４で支持することによりセンサケース４０ｂが自在に回転し、センサ３１の検出範囲を自在に調整させることができる。また図１１に示すように、センサケース４０ｂが球形状であるため、センサの向きによらず、センサケース４０ｂの外観形状は大きく変化しない。これにより、照明器具１００の外観を大きく変化させることなく、センサ３１の検出範囲を調整することができる。
【００４２】
実施の形態１と同様に、センサケース４０ｂの回転は、センサ３１の検出範囲を使用者が所望する方向に調整できるだけの可動範囲があればよい。したがって、センサケース４０ｂの「回転」は、３６０°以上回る必要はない。
【００４３】
図９、１０を用いて、電線３３の延伸方向（即ちセンサ３１からセンサ３１の裏面側に延伸する方向）とは異なる２軸方向にセンサケース４０ｂが回転する構成について説明する。
図９に示すように、センサケース４０ｂの外面に突起部５０が形成されている。突起部５０は、電線３３の延伸方向に沿った方向である、正面側ケース４８ｂの検出窓４８−１から裏面側ケース４９ｂの外面に向かう方向に長く延伸するとともに、センサケース４０ｂの外面上に突出して形成されている。
図１０を用いて、第１のケースであるセンサケース４０ｂが支持部である球受部４６−４に支持される構成を説明する。センサケース４０ｂは、球受部４６−４にセンサケース４０ｂの外面の内、突起部５０が形成された以外の箇所を回転可能に支持されている。突起部５０が形成された箇所のセンサケース４０ｂの半径ｒ３は、球受部４６−４によって形成される仮想円（仮想球）の半径ｒ２よりも大きく且つ第２の開口部４６−２ｂの半径ｒ４よりも小さい。センサケース４０ｂが電線３３の延伸方向を軸として回転した場合、突起部５０が球受部４６−４に当接することにより、電線３３の延伸方向を軸とする方向の回転が規制される。一方、センサケース４０ｂは、センサケース４０ｂの外面の内、突起部５０が形成された以外の箇所が球受部４６−４と当接する範囲内では、突起部５０が球受部４６−４に当接することがないため、回転可能となる。このような構成により、センサケース４０ｂの電線３３の延伸方向を軸とする方向の回転が規制され、センサケース４０ｂは、電線３３の延伸方向を軸とする回転方向とは異なる２軸方向である図９の矢印方向に回転可能に球受部４６−４に支持される。
【００４４】
なお、電線３３の延伸方向を軸とする方向の回転を規制するには、必ずしも突起部５０が長く延伸する必要はない。検出窓４８−１は、電線３３の延伸方向を軸とする方向の回転方向に外縁を持つ。検出窓４８−１の外縁に平行となるセンサケース４０ｂ上の円は、
全て電線３３の延伸方向を軸とする方向の回転方向である。
したがって、電線３３の延伸方向を軸とする方向の回転を規制するためには、検出窓４８−１の外縁に平行となるセンサケース４０ｂ上の円に複数の突起部５０が並んでいればよい。
【００４５】
次にセンサケース４０ｂとは別の構成であるセンサケース４０ｃが、電線３３の延伸方向（即ちセンサ３１からセンサ３１の裏面側に延伸する方向）とは異なる２軸方向に回転する構成について説明する。
図１２に示すように、センサケース４０ｃの外面に凹部５１が形成されている。凹部５１は、球受部４６−４と当接する箇所に形成されている。図１３に示すように、凹部５１と当接する球受部４６−４の当接面は、センサケース４０ｃを凹部５１で支持するために、凹部５１が形成された箇所のセンサケース４０ｃの半径ｒ５よりクリアランス分だけ大きい半径ｒ２の球面状に形成され、センサケース４０ｃを凹部５１で挟持することにより、センサケース４０ｃを支持する。また凹部５１は、電線３３の延伸方向に沿った方向である、正面側ケース４８ｃから裏面側ケース４９ｃに向かう方向が長手方向となるように、センサケース４０ｃの外面を凹ませるように形成されている。
図１３を用いて、第１のケースであるセンサケース４０ｃが支持部である球受部４６−４に支持される構成を説明する。凹部５１が形成された箇所のセンサケース４０ｃの半径ｒ５は、球受部４６−４によって形成される仮想円（仮想球）の半径ｒ２よりもクリアランス分だけ小さく形成されているため、センサケース４０ｃは、球受部４６−４に回転可能に支持されている。センサケース４０ｃの外面の内、凹部５１が形成されていない箇所の半径ｒ１は、球受部４６−４によって形成される仮想円（仮想球）の半径ｒ２よりも大きく且つ第２の開口部４６−２ｂの半径ｒ４よりも小さい。センサケース４０ｃが電線３３の延伸方向を軸として回転した場合、凹部５１の周縁部が球受部４６−４に当接することにより、電線３３の延伸方向を軸とする方向の回転が規制される。一方、センサケース４０ｃは、凹部５１が形成された箇所が球受部４６−４と当接する範囲内では、センサケース４０ｃの外面の内、凹部５１が形成された以外の箇所が球受部４６−４に当接することがないため、回転可能となる。このような構成により、センサケース４０ｃの電線３３の延伸方向を軸とする方向の回転が規制され、センサケース４０ｃは、電線３３の延伸方向を軸とする回転方向とは異なる２軸方向である図１２の矢印方向に回転可能に球受部４６−４に支持される。
【００４６】
センサケース４０ｂに形成された突起部５０やセンサケース４０ｂを置き代えた４０ｃに形成された凹部５１は、使用者がセンサケース４０ｂ、４０ｃを可動させる際の指の引っ掛け部にもなる。このため、センサ３１を所望の向きに調整しやすくなる。
【００４７】
図１１に示すセンサユニット３０ｂは、実施の形態１で説明した方法と同様の手順で光源ユニット１０に取り付けられる。
【００４８】
以上述べたように、本実施の形態では、センサケース４０ｂは、電線３３の延伸方向を軸とする回転方向への回転が規制される。また、センサケース４０ｂ、４０ｃは、電線３３の延伸方向を軸とする回転方向とは異なる方向に回転可能に支持される。そのため、図７に示すように、センサケース４０ｂ、４０ｃは、電線３３がねじれる方向の回転が抑制される。したがって、照明器具１００は、電線３３が過度にねじれることなく、センサ３１の検出範囲を調整することができる。
【符号の説明】
【００４９】
１００  照明器具、１０  光源ユニット、１１  フレーム、１２  ＬＥＤ、１３  ＬＥＤモジュール、１４  カバー、１５  点灯装置、１６  電源線、３０、３０ｂ  センサユニット、３１  センサ、３２、３２ｂ  センサ基板、３３  電線、３４  センサ駆動基板、３５  点灯信号電線、４０、４０ｂ、４０ｃ  センサケース、４１  内ケース、４１−１  内ケース軸、４１−２  センサ検出窓、４２  外ケース、４２−１  軸受、４２−２  外ケース軸、４２−３  第１の開口部、４５  駆動基板ケース体、４５−１  溝部、４５−２  取付爪、４５−３  取付部、４５−４  延伸部、４６  ４６ｂ  駆動基板ケース、４６−１  軸受、４６−２  ４６−２ｂ  第２の開口部、４６−４  球受部、４７  ケース蓋、４８ｂ、４８ｃ  正面側ケース、４８−１  検出窓、４９ｂ、４９ｃ  裏面側ケース、４９−１  第１の開口部、５０  突起部、５１  凹部。
【図１】
2019012633.tif 000003
【図２】
2019012633.tif 000004
【図３】
2019012633.tif 000005
【図４】
2019012633.tif 000006
【図５】
2019012633.tif 000007
【図６】
2019012633.tif 000008
【図７】
2019012633.tif 000009
【図８】
2019012633.tif 000010
【図９】
2019012633.tif 000011
【図１０】
2019012633.tif 000012
【図１１】
2019012633.tif 000013
【図１２】
2019012633.tif 000014
【図１３】
2019012633.tif 000015